(57)【要約】      （修正有）【課題】間伐材などの薪を燃料として用いる給湯装置を提供すること。【解決手段】温水を生成するための温水生成手段２と、温水生成手段２により生成された温水を循環させるための第１循環系６と、温水を貯めるための貯湯タンク４と、貯湯タンク４内の水を循環させるための第２の循環系８と、第１循環系６を流れる温水と第２循環系８を流れる水との間で熱交換を行うための熱交換器１０と、を備えた給湯装置。温水生成手段２は、温水を収容する温水容器本体１４と、温水容器本体１４内に収容された薪燃焼手段１６（１６Ａ，１６Ｂ）とを備え、第１循環系６を循環する温水は温水容器本体１４を通して流れる。薪燃焼手段１６は、薪を燃焼させるための燃焼器本体と、燃焼用空気を供給するための空気送給手段とを備え、空気送給手段に送給される空気が薪燃焼手段１６からの燃焼排気ガスの熱を利用して加熱される。【選択図】図１
2015206479.tif 000002
【特許請求の範囲】
【請求項１】
温水を生成するための温水生成手段と、前記温水生成手段により生成された温水を循環させるための第１循環系と、給湯に用いる温水を貯めるための貯湯タンクと、前記貯湯タンクの水を循環させるための第２循環系と、前記第１循環系を流れる温水と前記第２循環系を流れる水との間で熱交換を行うための熱交換器と、を備えた給湯装置であって、
前記温水生成手段は、温水収容空間を規定する温水容器本体と、前記温水容器本体内に収容された薪燃焼手段とを備え、前記第１循環系を循環する温水は前記温水容器本体の前記温水収容空間を通して流れ、
前記薪燃焼手段は、薪を燃焼させるための燃焼空間を規定する燃焼器本体と、前記燃焼空間の底部に配設された空気送給手段と、前記燃焼空間内の燃焼排気ガスを排出するための排気ガス排出手段とを備え、前記空気送給手段には複数の空気孔が設けられており、
前記燃焼器本体の一端部は、前記温水容器本体の一端壁を貫通して一端側に突出し、この一端側突出部に薪を入れるための開口が設けられ、その他端部は、前記温水容器本体の他端壁を貫通して他端側に突出し、この他端側突出部に前記空気送給手段及び前記排気ガス排出手段が接続されており、
更に、前記薪燃焼手段の前記排気ガス排出手段の一部を覆うように吸気加温ハウジングが設けられ、前記吸気加温ハウジングには、外部の空気を導入するための空気導入手段が設けられており、
前記薪燃焼手段の前記燃焼空間からの燃焼排気ガスは、前記排気ガス排出手段を通して外部に排出され、また外部からの空気は、前記空気導入手段を通して流入し、前記吸気加温ハウジング及び前記空気送給手段を通して前記燃焼器本体の前記燃焼空間に送給され、前記吸気加温ハウジング内を流れる空気は、前記排気ガス排出手段を流れる燃焼排気ガスによって加温された後に前記燃焼空間に送給されることを特徴とする給湯装置。
【請求項２】
前記排気ガス排出手段は、前記燃焼器本体の前記他端側突出端部から延びる排気導出管と、前記吸気加温ハウジングから上方に延びる排出ダクトとから構成され、前記排気導出管が前記排出ダクトに接続され、前記吸気加温ハウジング内を流れる空気は、前記排気導出管を流れる燃焼排気ガスによって加温されることを特徴とする請求項１に記載の給湯装置。
【請求項３】
前記空気導入手段は、前記排気ダクトの一部を同心状に覆う空気導入管から構成され、前記空気導入管が前記吸気加温ハウジングに接続され、前記空気導入管を流れる空気は、前記排気ダクトを流れる燃焼排気ガスにより加温された後に前記吸気加温ハウジングに送給されることを特徴とする請求項１に記載の給湯装置。
【請求項４】
前記空気送給手段は、前記燃焼器本体の前記一端側突出部を貫通して突出しており、前記空気送給手段の前記突出部に閉塞部材が着脱自在に装着されることを特徴とする請求項１〜３のいずれかに記載の給湯装置。
【請求項５】
前記燃焼器本体の前記燃焼空間には、前記排気ガス排出手段側に流れる燃焼排気ガスの流れを乱すための乱流加熱板が配設されていることを特徴とする請求項１〜４のいずれかに記載の給湯装置。
【請求項６】
前記温水生成手段の前記温水容器本体内に複数の薪燃焼手段が配設され、前記複数の薪燃焼手段の各々の前記燃焼器本体の一端部は、前記温水容器本体の一端壁を貫通して一端側に突出し、各一端側突出部に薪を入れるための開口が設けられ、前記複数の薪燃焼手段の各々の他端部は、前記温水容器本体の他端壁を貫通して他端側に突出し、各他端側突出部に前記空気送給手段及び前記排気ガス排出手段が接続され、前記複数の薪燃焼手段の前記排気ガス排出手段の一部を覆うように前記吸気加温ハウジングが設けられ、前記複数の薪燃焼手段の各々の前記燃焼空間からの燃焼排気ガスは、対応する前記排気ガス排出手段を通して外部に排出され、また外部からの空気は、前記空気導入手段を通して前記吸気加熱ハウジングに流入し、前記空気送給手段を通して対応する前記薪燃焼手段の前記燃焼空間に送給されることを特徴とする請求項１に記載の給湯装置。
【発明の詳細な説明】
【技術分野】
【０００１】
本発明は、燃料として薪を用いてお湯をつくる給湯装置に関する。
【背景技術】
【０００２】
温水を生成して供給する給湯装置が広く利用されている。このような給湯装置では、一般的に、燃料として燃料ガス（例えば、都市ガス、ＬＰガス）などが用いられ、燃料ガスを燃焼させるための燃焼バーナと、燃焼バーナからの燃焼ガスと水との間で熱交換を行う熱交換器と、熱交換器に水（例えば、水道水）を供給するための水供給ラインと、熱交換器における熱交換によって加温された温水を出湯する給湯ラインとを備えている（例えば、特許文献１参照）。
【０００３】
近年、間伐材の利用拡大を図るために、間伐材を燃料として用いる薪ストーブが提案されている（例えば、特許文献２）。この薪ストーブは、燃焼室を規定するストーブ本体と、ストーブ本体の燃焼室からの燃焼排気ガスを排気するための排気手段と、燃焼室に空気を導入するための空気導入手段とを備えている。この空気導入手段は、ストーブ本体（即ち、燃焼室）の底部に配設された吸気導入管から構成され、この吸気導入管には、間隔をおいて複数の空気孔が設けられている。吸気導入管の一端側は、ストーブ本体の前壁を貫通して前方に突出し、この吸気導入管の先端部に吸気口が設けられている。
【０００４】
この薪ストーブでは、ストーブ本体の燃焼室に薪が投入され、燃焼用空気は、吸気導入管を通して複数の空気孔から燃焼室に送給され、この燃焼用空気により薪が燃焼される。また、燃焼排気ガスは、後方に流れて排気手段を通して外部に排出される。
【先行技術文献】
【特許文献】
【０００５】
【特許文献１】特開平８−２６１４４９号公報
【特許文献２】特開２０１３−９２３２９号公報
【発明の概要】
【発明が解決しようとする課題】
【０００６】
従来、上述したように、ストーブとしては間伐材などの薪を燃料として用いるものがあったが、給湯装置としては燃料ガスを燃料として用いるのが一般的で、薪を燃料として用いるものがなく、環境面などを考慮すると、薪を燃料として用いる給湯装置の実現が望まれていた。
【０００７】
本発明の目的は、間伐材などの薪を燃料として用いる給湯装置を提供することである。
【課題を解決するための手段】
【０００８】
本発明の請求項１に記載の給湯装置は、温水を生成するための温水生成手段と、前記温水生成手段により生成された温水を循環させるための第１循環系と、給湯に用いる温水を貯めるための貯湯タンクと、前記貯湯タンクの水を循環させるための第２循環系と、前記第１循環系を流れる温水と前記第２循環系を流れる水との間で熱交換を行うための熱交換器と、を備えた給湯装置において、
前記温水生成手段は、温水収容空間を規定する温水容器本体と、前記温水容器本体内に収容された薪燃焼手段とを備え、前記第１循環系を循環する温水は前記温水容器本体の前記温水収容空間を通して流れ、
前記薪燃焼手段は、薪を燃焼させるための燃焼空間を規定する燃焼器本体と、前記燃焼空間の底部に配設された空気送給手段と、前記燃焼空間内の燃焼排気ガスを排出するための排気ガス排出手段とを備え、前記空気送給手段には複数の空気孔が設けられており、
前記燃焼器本体の一端部は、前記温水容器本体の一端壁を貫通して一端側に突出し、この一端側突出部に薪を入れるための開口が設けられ、その他端部は、前記温水容器本体の他端壁を貫通して他端側に突出し、この他端側突出部に前記空気送給手段及び前記排気ガス排出手段が接続されており、
更に、前記薪燃焼手段の前記排気ガス排出手段の一部を覆うように吸気加温ハウジングが設けられ、前記吸気加温ハウジングには、外部の空気を導入するための空気導入手段が設けられており、
前記薪燃焼手段の前記燃焼空間からの燃焼排気ガスは、前記排気ガス排出手段を通して外部に排出され、また外部からの空気は、前記空気導入手段を通して流入し、前記吸気加温ハウジング及び前記空気送給手段を通して前記燃焼器本体の前記燃焼空間に送給され、前記吸気加温ハウジング内を流れる空気は、前記排気ガス排出手段を流れる燃焼排気ガスによって加温された後に前記燃焼空間に送給されることを特徴とする。
【０００９】
また、本発明の請求項２に記載の給湯装置では、前記排気ガス排出手段は、前記燃焼器本体の前記他端側突出端部から延びる排気導出管と、前記吸気加温ハウジングから上方に延びる排出ダクトとから構成され、前記排気導出管が前記排出ダクトに接続され、前記吸気加温ハウジング内を流れる空気は、前記排気導出管を流れる燃焼排気ガスによって加温されることを特徴とする。
【００１０】
また、本発明の請求項３に記載の給湯装置では、前記空気導入手段は、前記排気ダクトの一部を同心状に覆う空気導入管から構成され、前記空気導入管が前記吸気加温ハウジングに接続され、前記空気導入管を流れる空気は、前記排気ダクトを流れる燃焼排気ガスにより加温された後に前記吸気加温ハウジングに送給されることを特徴とする。
【００１１】
また、本発明の請求項４に記載の給湯装置では、前記空気送給手段は、前記燃焼器本体の前記一端側突出部を貫通して突出しており、前記空気送給手段の前記突出部に閉塞部材が着脱自在に装着されることを特徴とする。
【００１２】
また、本発明の請求項５に記載の給湯装置では、前記燃焼器本体の前記燃焼空間には、前記排気ガス排出手段側に流れる燃焼排気ガスの流れを乱すための乱流加熱板が配設されていることを特徴とする。
【００１３】
更に、本発明の請求項６に記載の給湯装置では、前記温水生成手段の前記温水容器本体内に複数の薪燃焼手段が配設され、前記複数の薪燃焼手段の各々の前記燃焼器本体の一端部は、前記温水容器本体の一端壁を貫通して一端側に突出し、各一端側突出部に薪を入れるための開口が設けられ、前記複数の薪燃焼手段の各々の他端部は、前記温水容器本体の他端壁を貫通して他端側に突出し、各他端側突出部に前記空気送給手段及び前記排気ガス排出手段が接続され、前記複数の薪燃焼手段の前記排気ガス排出手段の一部を覆うように前記吸気加温ハウジングが設けられ、前記複数の薪燃焼手段の各々の前記燃焼空間からの燃焼排気ガスは、対応する前記排気ガス排出手段を通して外部に排出され、また外部からの空気は、前記空気導入手段を通して前記吸気加熱ハウジングに流入し、前記空気送給手段を通して対応する前記薪燃焼手段の前記燃焼空間に送給されることを特徴とする。
【発明の効果】
【００１４】
本発明の請求項１に記載の給湯装置によれば、温水を生成する温水生成手段は、温水収容空間を規定する温水容器本体と、温水容器本体内に収容された薪燃焼手段とを備え、第１循環系を循環する温水は温水容器本体の温水収容空間を通して流れ、貯湯タンク内の水は第２循環系を通して流れ、熱交換器にて第１循環系を流れる温水と第２循環系を通して流れる水との間で熱交換が行われるので、熱交換器にて加温された温水が貯湯タンクに貯えられ、従って、薪を燃料として温水を生成して給湯用温水を貯えることができる。
【００１５】
また、燃焼器本体の端部は、温水容器本体の端壁を貫通して突出し、この突出部に空気送給手段及び排気ガス排出手段が接続され、更に薪燃焼手段の排気ガス排出手段の一部を覆うように吸気加温ハウジングが設けられているので、薪燃焼手段の燃焼空間からの燃焼排気ガスは、排気ガス排出手段を通して外部に排出され、また外部から空気導入手段を通して流入した空気は、吸気加温ハウジング及び空気送給手段を通して燃焼器本体の燃焼空間に送給され、かく送給される空気は、排気ガス排出手段を流れる燃焼排気ガスによって加温された後に燃焼空間に送給され、このように燃焼用空気を加温することによって、燃焼空間における薪の燃焼効率を高めることができる。
【００１６】
また、本発明の請求項２に記載の給湯装置によれば、排気ガス排出手段が燃焼器本体の突出端部から延びる排気導出管と、吸気加温ハウジングから上方に延びる排出ダクトとから構成され、排気導出管が排出ダクトに接続されているので、燃焼器本体の燃焼空間からの燃焼排気ガスは排気導出管及び排気ダクトを通して外部に排出され、また吸気加温ハウジング内を流れる空気は、排気導出管を流れる燃焼排気ガスによって加温される。
【００１７】
また、本発明の請求項３に記載の給湯装置によれば、空気導入手段が排気ダクトの一部を同心状に覆う空気導入管から構成されているので、空気導入管を流れる空気は、排気ダクトを流れる燃焼排気ガスにより加温された後に吸気加温ハウジングに送給され、これによって、空気導入手段から流入する空気をより効果的に加温することができる。
【００１８】
また、本発明の請求項４に記載の給湯装置によれば、空気送給手段は燃焼器本体の一端側突出部を貫通して突出し、この突出部に閉塞部材が着脱自在に装着されているので、この閉塞部材を外して空気送給手段を開放することによって、空気送給手段内に溜まった燃焼灰を容易に取り出すことができる。
【００１９】
また、本発明の請求項５に記載の給湯装置によれば、燃焼器本体の燃焼空間に、排気ガス排出手段側に流れる燃焼排気ガスの流れを乱すための乱流加熱板が配設されているので、この乱流加熱板によって燃焼排気ガスの流れを乱して燃料排気ガスと空気との接触を促進して一酸化炭素が外部に排出されるのを効果的に抑えることができる。
【００２０】
更に、本発明の請求項６に記載の給湯装置によれば、温水生成手段の温水容器本体内に複数の薪燃焼手段が配設されるので、温水生成手段により生成される熱量を大きくすることができる。例えば、薪燃焼手段の燃焼器本体としてガスボンベ（例えば、ＬＰガス５０ｋｇ用のもの）を用いる場合、３〜４本用いることができ、これにより大きな熱量を得ることができる。また、複数の薪燃焼手段の各々の他端部は、温水容器本体の端壁を貫通して突出し、この突出部に空気送給手段及び排気ガス排出手段が接続され、複数の薪燃焼手段の排気ガス排出手段の一部を覆うように吸気加温ハウジングが設けられるので、複数の薪燃焼手段から排出される燃焼排気ガスにより、吸気加熱ハウジング内を流れる空気を加温することができ、また加温した空気を対応する空気送給手段を通して各薪燃焼手段の燃焼空間に送給することができる。
【図面の簡単な説明】
【００２１】
【図１】本発明に従う給湯装置の全体を簡略的に示す図。
【図２】図１の給湯装置の要部を示す断面図。
【図３】図１の給湯装置における温水生成手段を示す正面図。
【図４】図３に示す温水生成手段の一部の薪燃焼手段の開閉扉を開放した状態で示す正面図。
【図５】図１の給湯装置における一つの薪燃焼手段を示す断面図。
【図６】図５におけるＶＩーＶＩ線による断面図。
【発明を実施するための形態】
【００２２】
以下、添付図面を参照して、本発明に従う給湯装置の一実施形態について説明する。図１及び図２において、図示の給湯装置は、温水を生成するための温水生成手段２と、温水を貯えるための貯湯タンク４と、温水生成手段２にて生成された温水を循環させるための第１循環系６と、貯湯タンク４内の水（又は温水）を循環させるための第２循環系８と、第１循環系６を流れる温水と第２循環系８を流れる水との間で熱交換を行うための熱交換器１０とを備えている。
【００２３】
まず、温水生成手段２について説明すると、図示の温水生成手段２は、温水収容空間１２を規定する温水容器本体１４と、燃料としての薪を燃焼させるための薪燃焼手段１６とを備え、薪燃焼手段１６が温水容器本体１４内の温水収容空間１２に配設されている。この実施形態では、大きな熱量を得るために４つの薪燃焼手段１６（１６Ａ，１６Ｂ，１６Ｃ，１６Ｄとも表現する）が用いられ、これらが互いに平行に上下方向に二段に配設されている（図３及び図４参照）。尚、少ない熱量でよい場合、薪燃焼手段１６を１〜３つ用いるようにすればよく、また更に大きい熱量を必要とする場合、薪燃焼手段１６を５つ以上用いるようにすればよい。
【００２４】
この形態では、温水生成手段２は、使用済みのガスボンベを用いて製作することができる。即ち、温水容器本体１４については、業務用ガスボンベ（例えば、ＬＰガス      ｋｇ、容量      Ｌのもの）を用い、また薪燃焼手段１６については、家庭用ガスボンベ（例えば、ＬＰガス５０ｋｇ、容量１１７．５Ｌのもの）を用いることができ、このように使用済みガスボンベを用いることにより、ガスボンベの再利用を図ることができる。
【００２５】
温水容器本体１４は、円筒状の周側壁１８と、この周側壁１８の両端に設けられた端壁２０，２２とを備え、これら周側壁１８及び一対の端壁２０，２２によって、密閉された温水収容空間２４を規定し、この温水収容空間２４に４つの薪燃焼手段１６（１６Ａ，１６Ｂ，１６Ｃ，１６Ｄ）が収容される。４つの薪燃焼手段１６は実質上同一の構成であり、以下それらの１つの薪燃焼手段１６Ａ（１６Ｂ，１６Ｃ，１６Ｄ）について説明する。
【００２６】
図５及び図６をも参照して、薪燃焼手段１６Ａ（１６Ｂ，１６Ｃ，１６Ｄ）は、燃料としての薪（例えば、間伐材、廃材など）を燃焼させるための燃焼空間２６を規定する燃焼器本体２８を備え、この燃焼器本体２８が、例えば、使用済みガスボンベから構成される。薪燃焼手段１６Ａ（１６Ｂ，１６Ｃ，１６Ｄ，１６Ｄ）の燃焼器本体２８の一端側は、温水容器本体１４の一端壁２０を貫通して前方側（図１及び図２において右方側）に突出し、その他端側は、温水容器本体１４の他端壁２２を貫通して後方側（図１及び図２において左方側）に突出している。
【００２７】
燃焼器本体２８の前面（温水容器本体１４の端壁２０から突出する一端面）には、図３及び図４に示すように、略半円状の開口３０が設けられ、燃料としての薪がこの開口３０を通して燃焼空間２６に投入される。この燃焼器本体２８の前面には、開閉扉３２が開閉自在に配設されている。開閉扉３２には、燃焼空間２６の燃焼状態を外部から見るための燃焼確認窓３４が設けられているとともに、この燃焼空間２６に燃焼用空気を供給するための空気調整供給手段３６が設けられている。この空気調整供給手段３６は、それ自体周知の構造のものから構成することができ、例えば第１開口を有する第１部材と、第２開口を有す第２部材とから構成され、第１部材が開閉扉３２に固定され、第２部材が第１部材に対して相対的に回転自在に取り付けられ、第１部材の第１開口と第２部材の第２開口との重なり部分を調整して燃焼空間２６に供給される燃焼用空気が調整される。
【００２８】
薪燃焼手段１６Ａ（１６Ｂ，１６Ｃ，１６Ｄ）の燃焼器本体２８の前面は、下方に向けて前面側に傾斜しており、この傾斜前面に支持フランジ３８が設けられ、開閉扉３２は、この支持フランジ３８に移動自在に載置支持されている。この形態では、図３及び図４に示すように、上側に配置された薪燃焼手段１６Ａ，１６Ｃに関連して、上支持案内部材４０が設けられ、また下側に配置された薪燃焼手段１６Ｂ，１６Ｄに関連して、下支持案内手段４２が設けられている。燃焼器本体２８の両側部には、外側に延びる取付部材４４，４６が固定され、これら取付部材４４，４６の先端部には、上方に延びる支持部材４８，５０が固定され、これら支持部材４８，５０間に上支持案内部材４０及び下案内支持部材４２が取り付けられている。
【００２９】
上支持案内部材４０は、上段の薪燃焼手段１６Ａ，１６Ｃ間を延び、その一端側は、片方の薪燃焼手段１６Ａの横方向外方（図３及び図４において左方）に延び、その他端側は、他方の薪燃焼手段１６Ｃの横方向外方（図３及び図４において右方）に延びている。また、下支持案内部材４２は、上支持案内部材４０と同様に、下段の薪燃焼手段１６Ｂ，１６Ｄ間を延び、その一端側は、片方の薪燃焼手段１６Ｂの横方向外方（図３及び図４において左方）に延び、その他端側は、他方の薪燃焼手段１６Ｄの横方向外方（図３及び図４において右方）に延びている。
【００３０】
上支持案内部材４０及び下支持案内部材４２は、断面略Ｌ字状であり、上支持案内部材４０が上段の薪燃焼手段１６Ａ，１６Ｃの前面側に取り付けられ、また下支持案内部材４２が下段の薪燃焼手段１６Ｂ，１６Ｄの前面側に取り付けられている。上支持案内部材４０は、薪燃焼手段１６Ａ，１６Ｃの支持フランジ３８と協働して、上側が開放された上案内溝５２を規定し、かかる上案内溝５２に、薪燃焼手段１６Ａ，１６Ｃの開閉扉３２の下部が横方向（図３及び図４において左右方向）に移動自在に受け入れられている。また、下支持案内部材４２は、薪燃焼手段１６Ｂ，１６Ｄの支持フランジ３８と協働して、上側が開放された上案内溝５４を規定し、かかる上案内溝５４に、薪燃焼手段１６Ｂ，１６Ｄの開閉扉３２の下部が横方向に移動自在に受け入れられている。
【００３１】
このように構成されているので、薪燃焼手段１６Ａ（１６Ｂ，１６Ｃ，１６Ｄ）の開閉扉３２を上支持案内部材４０（下支持案内部材４２）の上案内溝４２（下案内溝５４）に沿って矢印の方向に外側に移動させると、図４において上段の薪燃焼手段１６Ａ（１６Ｃ）で示すように、開閉扉３２が開状態となり、燃焼器本体２８の開口３０が開放される。また、この開状態から開閉扉３２を上支持案内部材４０（下支持案内部材４２）の上案内溝４２（下案内溝４４）に沿って矢印とは反対方向の内側に移動させると、図３に示すととともに図４において下段の薪燃焼手段１６Ｂ，１６Ｄで示すように、開閉扉３２が閉状態となり、燃焼器本体２８の開口３０が閉塞される。尚、開閉扉３２の離脱を防止するために、上支持案内部材４０（下支持案内部材４２）の上案内溝４０（下案内溝４２）の両端部に移動阻止部材（図示せず）を固定するのが望ましい。
【００３２】
図５及び図６を参照して、薪燃焼手段１６Ａ（１６Ｂ，１６Ｃ，１６Ｄ）において、燃焼器本体２８の底部には、燃焼用空気を供給するための空気送給管５６（空気送給手段を構成する）が設けられている。空気送給管５６は中空パイプ部材から構成され、その一端側は、燃焼器本体２８の一端壁５８（前端壁）を貫通して前方に突出し、この前突出部にはキャップ状の閉塞部材６０が着脱自在に装着されている。また、空気送給管５６の他端側は、燃焼器本体２８の他端壁６２（後端壁）を貫通して後方に突出し、この後突出部は開放されている。この空気送給管５６には、その軸方向（図５において左右方向）に間隔をおいて複数の空気孔６４が設けられている。
【００３３】
通常、閉塞部材６０は、空気送給管５６の前突出部に装着された状態（図３に示すとともに、図４の下段の薪燃焼手段１６Ｂ，１６Ｄに示す状態）に保たれ、従って、空気送給管５６の後突出部の開口６６を通して流入された空気は、複数の空気孔６４から燃焼空間２６に供給される。この閉塞部材６０を取り外す（図４の上段の薪燃焼手段１６Ａ，１６Ｃに示す状態）と、空気送給管５６の前面側が開放され、灰かき出し具（図示せず）を用いて空気送給管５６内に溜まった燃焼灰を前方側にかき出すことができる。
【００３４】
薪燃焼手段１６Ａ（１６Ｂ，１６Ｃ，１６Ｄ）の燃焼器本体２８内には、大きな格子状の火格子６８が配設されている。火格子６８は細長い矩形状であり、一方燃焼器本体２８は縦断面形状が円形状であり、また火格子６８の幅Ｗが燃焼器本体２８の直径Ｄよりも幾分小さくなっており、このように構成することによって、火格子６８の両側部が燃焼器本体２８の内周面に当接支持され、このようにして火格子６８が空気送給管５６の上方にて燃焼空間２６内に配置され、この火格子６８の上側に燃料としての薪（図示せず）が投入される。
【００３５】
燃焼器本体２８の他端壁６２には、燃焼空間２６内の燃焼排気ガスを排出するための排気導出管７０が接続されている。この他端壁６２に接続された空気送給管５６は、燃焼空間２６の底部を通して燃焼器本体２８の前方に延びているが、この排気導出管７０は、燃焼空間２６内に少し突出する程度に接続されている。この燃焼器本体２８の燃焼空間２６内の後部、即ち排気導出管７０の前方側（図５において左方）に、燃焼排気ガスの流れを乱すための乱流加熱板７２が設けられている。この乱流加熱板７２は、燃焼器本体２８の長手方向、即ち燃焼排気ガスの流れ方向に間隔をおいて２つ設けられ、火格子６８の上面に載置支持されている。各乱流加熱板７２には、複数の乱流孔７４が設けられており、燃焼空間２６から後方側に排気導出管７０に向けて流れる燃焼排気ガスは、乱流孔７４を通して流れる際にその流れが乱される。このような乱流加熱板７２は、一つ設けるだけでも効果はあるが、その効果を高めるために、燃焼排気ガスの流れ方向に間隔をおいて３つ以上設けるようにしてもよい。
【００３６】
この乱流加熱板７２と空気送給管５６の空気孔６４との位置関係を次のようにするのが望ましい。即ち、図５に示すように、燃焼排気ガスの流れ方向に見て、乱流加熱板７２の下流側に空気孔６４が設けられているのが好ましく、このように構成することにより、乱流加熱板７２を通過して流れが乱れている燃焼排気ガスに向けて空気送給管５６の空気孔６４からの空気が供給され、これによって、燃焼排気ガスと空気との接触が促進されて燃焼排気ガス中の一酸化炭素を酸化せて二酸化炭素とすることができる。
【００３７】
薪燃焼手段１６Ａ〜１６Ｄの排気側は、次のように構成されている。再び、図１及び図２に戻って、温水容器本体１４の背面側に吸気加温ハウジング７６が設けられている。この吸気加温ハウジング７６は、温水容器本体１４の外形に対応して円筒状であり、温水容器本体１４の背面側に延び、その周側壁７８及び端壁８０並びに温水容器本体１４の他端壁２２（後端壁）によって空気加温空間８２を規定する。
【００３８】
この吸気加温ハウジング７６には排気ダクト８２が取り付けられ、排気ダクト８２の一端（下端）は端壁８４により閉塞されている。この排気ダクト８２の一端側は、吸気加温ハウジング７６内に挿入され、その他端側は、吸気加温ハウジング７６から上方に延び、その上端は大気に開放されている。薪燃焼手段１６Ａ〜１６Ｄの燃焼器本体２８から後方に延びる排気導出管７０（図２において、薪燃焼手段１６Ａ，１６Ｂの燃焼器本体２８に接続されたもののみ示す）は、吸気加温ハウジング７６内を延びて排気ダクト８２の下部（即ち、空気加温空間８２に位置する部位）に接続されている。
【００３９】
このように構成されているので、薪燃焼手段１６Ａ〜１６Ｄの排気導出管７０及び排気ダクト８２は、燃焼排気ガスを排出するための排気ガス排出手段８６を構成し、各薪燃焼手段１６Ａ〜１６Ｄの燃焼空間２６からの燃焼排気ガスは、対応する排気導出管７０を通して排気ダクト８２に流れ、この排気ダクト８２を通して外部に排出される。
【００４０】
吸気加温ハウジング７６には、更に、外部の空気を導入するための空気導入手段８８が設けられている。この形態では、空気導入手段８８は、排気ダクト８２の一部（吸気加温ハウジング７６付近の部位）の外周を覆うように同心状に配設された空気導入管９０から構成され、この空気導入管９０（具体的には、空気導入管９０の内周面と排気ダクト８２の外周面との間の環状空間）を通して導入した空気は、この空気導入管９０内を流れる間に排気ダクト８２内を流れる燃焼排気ガスによって加温され、かく加温された空気が吸気加温ハウジング８０内に流れる。そして、吸気加温ハウジング８０内に流入した空気は、吸気加温ハウジング８０内を薪燃焼手段１６Ａ〜１６Ｄ側に流れる間に、薪燃焼手段１６Ａ〜１６Ｄの排気導出管７０を流れる燃焼排気ガスによって更に加温され、かく加温された空気が各薪燃焼手段１６Ａ〜１６Ｄの空気送給管５６を通して燃焼器本体２８の燃焼空間２６に供給され、このように燃焼用空気として加温された空気が供給されるので、燃焼空間２６での薪の燃焼効率を高めることができる。
【００４１】
尚、図示していないが、空気導入管９０の流入部（即ち、外気が流入する流入口）に、必要に応じて水切り板を設けることができ、このように水切り板を設けることによって、空気導入管９０の流入部を通しての吸気加温ハウジング８０内への雨などの侵入を抑えることができる。
【００４２】
温水生成手段２（温水容器本体１４）は、複数の第１支持脚９１を介して例えばコンクリート製基礎９４に設置され、また吸気加温ハウジング８０は、複数の第２支持脚９３を介してこのコンクリート製基礎９４に設置される。
【００４３】
次に、温水生成手段２を通して温水を循環する第１循環系６について説明すると、図示の第１循環系６は、温水を収容する温水タンク９２を含み、この温水タンク９２は、複数の取付支持脚９５を介して温水容器本体１４に取り付けられている。この形態では、第１循環系６は、更に、温水容器本体１４と温水タンク９２とを接続する温水流路９６と、温水タンク９２と熱交換器１０とを接続する温水流路９８と、熱交換器１０と温水容器本体１４とを接続する温水流路１００とを含んでいる。また、温水流路９８には第１循環ポンプ１０２が配設され、温水容器本体１４にて後述する如くして生成された温水は、第１循環ポンプ１０２の作用によって、循環流路９６、温水タンク９２、温水流路９８、熱交換器１０及び温水流路１００を通して循環される。
【００４４】
第１循環系６に関連して、この第１循環系６に水を補給するための第１補給手段１０４が設けられている。図示の第１補給手段１０４は、第１補充タンク１０６を備え、この第１補充タンク１０６の排出側が第１補充流路１０８を介して温水容器本体１４に接続されている。また、第１補充タンク１０６の流入側は、第１フロート弁１１０を介して第１供給流路１１２に接続され、この第１供給流路１１２は、水（例えば、水道水）を供給する水道管１１４などの水供給源に接続される。尚、この第１補充流路１０８は、温水容器本体１４に代えて、温水タンク９２又は温水流路９６，９８，１００に接続するようにしてもよい。
【００４５】
また、温水容器本体１４及び温水タンク９２に関連して大気開放ライン１１６が設けられている。大気開放ライン１１６の一端側は２つに分岐され、第１分岐ライン１１８が温水容器本体１４（即ち、温水収容空間１２）の上端部に接続され、また第２分岐ライン１２０が温水タンク９２の上端部に接続されている。従って、温水容器本体１４内に溜まった空気は、この第１分岐ライン１１８及び大気開放ライン１１６を通して大気中に放出され、また温水タンク９２内に溜まった空気は、第２分岐ライン１２０及び大気開放ライン１１６を通して大気中に放出され、更に、第１循環系６（温水容器本体１４、温水タンク９２など）内が大気圧に保たれる。
【００４６】
このように構成されているので、第１循環系６内の温水が減少すると、第１補充タンク１０６内の水が第１補充流路１０８を通して温水容器本体１４に供給され、この供給に伴い第１補充タンク１０６内の水が減少すると、第１フロート弁１１０が開状態となって水道水が第１供給流路１１２を通して補充され、このようにして第１循環系６の水（温水）のレベルが第１基準レベルＨ１に保たれる。
【００４７】
次いで、第２循環系８について説明すると、図示の第２循環系８は、貯湯タンク４の底部と熱交換器１０とを接続する往き流路１２２と、この熱交換器１０と貯湯タンク４の上端部とを接続する戻り流路１２４とを含み、往き流路１２２に第２循環ポンプ１２６が設けられている。従って、第２循環ポンプ１２６が作動すると、貯湯タンク４内の水が往き流路１２２を通して熱交換器１０に送給され、この熱交換器１０では第１循環系６を流れる温水と貯湯タンク４からの水との間で熱交換が行われ、熱交換により加温された温水が戻り流路１２４を通して貯湯タンク４に貯えられる。
【００４８】
第２循環系８に関連して、この第２循環系８に水を補給するための第２補給手段１２８が設けられている。この第２補給手段１２８は、上述した第１補給手段１０４と略同一の構成であり、第２補充タンク１３０を備え、この第２補充タンク１３０の排出側が第２補充流路１３２を介して往き流路１２２（具体的には、第２循環ポンプ１２６の配設部位よりも上流側の部位）に接続され、その流入側は、第２フロート弁１３４及び第２供給流路１３６を介して水道管１１４に接続されている。尚、この第２補充流路１３２は、往き流路１２２に代えて、貯湯タンク４に接続するようにしてもよい。
【００４９】
また、貯湯タンク４に関連して大気開放排水ライン１３８が設けられている。この大気開放排水ライン１３８は、大気に開放する大気開放ライン部１４０及びオーバーフロー用の排水ライン部１４２を有している。従って、貯湯タンク４内に溜まった空気は、この大気開放ライン部１４０を通して大気中に放出され、第２循環系８（貯湯タンク４など）内が大気圧に保たれ、また貯湯タンク４の温水の量が増えて水位が上昇すると、排水ライン部１４２を通して外部に排水される。
【００５０】
この貯湯タンク４には、給湯ライン１４４が接続され、この給湯ライン１４４に給湯ポンプ１４６が配設されている。また、給湯タンク４内には出湯管１４８が配設されている。このように構成されているので、給湯ポンプ１４６が作動すると、給湯タンク４内の上部の温水が出湯管１４８及び給湯ライン１４４を通して出湯され、この出湯に伴い第２補充タンク１３０内の水が減少すると、第２フロート弁１３４が開状態となって水道水が第２供給流路１３２を通して補充され、このようにして第２循環系８の水（温水）のレベルが第２基準レベルＨ２に保たれる。  
この給湯装置においては、次ぎのようにして貯湯タンク４に温水が貯えられる。主として図１、図２及び図５を参照して、温水生成手段２において温水を生成するには、燃料としての薪（間伐材、廃材など）を薪燃焼手段１６Ａ〜１６Ｄで燃焼させ、この燃焼及び燃焼排気ガスの熱でもって温水容器本体４内の水を加熱して温水を生成する。薪燃焼手段１６Ａ〜１６Ｄで薪を燃焼させるときには、大気中の空気が空気導入管９０を通して導入され、かく導入された空気は、排気ダクト８２を流れる燃焼排気ガスにより加温されて吸気加温ハウジング８０に流入する。この空気は、吸気加温ハウジング８０内を流れる間に、薪燃焼手段１６Ａ〜１６Ｄの排気導出管７０を流れる燃焼排気ガスにより更に加温され、かく加温された空気が空気送給管５６を通して燃焼空間２６に供給され、かく供給される空気によって燃焼空間２６内の薪が燃焼される。薪は火格子６８上に投入されるので、空気送給管５６から供給される空気は、火格子６８を通して燃焼している薪に流れ、この薪に充分な空気を供給することができる。
【００５１】
薪燃焼手段１６Ａ〜１６Ｄの燃焼空間２６からの燃焼排気ガスは、排気導出管７０に向けて流れ、乱流加熱板７２の乱流孔７４を流れる際にその流れが乱れ、この燃焼排気ガスに空気送給管５６からの空気が効果的に接触し、これにより、燃焼排気ガス中の一酸化炭素が酸化して二酸化炭素となり、このようにして一酸化炭素成分の少ない燃焼排気ガスが排気導出管７０及び排気ダクト８２を通して外部に排出される。
【００５２】
温水容器本体１４にて生成された温水は、循環流路９６を通して温水タンク９２に貯められ、この温水タンク９２から循環流路９８、熱交換器１０及び循環流路１００を通して温水容器本体１４に戻され、第１循環系６の温水が減少したときには、第１補充タンク１０６から第１補充流路１０８を通して水が補充される。また、貯湯タンク４内の水は往き流路１２２を通して熱交換器１０に送給され、この熱交換器１０において第１循環系６の温水との間で熱交換して加温された温水が戻り流路１２４を通して貯湯タンク４に貯えられ、第２循環系８の水（温水）が減少したときには、第２補充タンク１３０から第２補充流路１３２を通して水が補充される。
【００５３】
この給湯装置においては、上述したように、温水生成手段２の薪燃焼手段１６Ａ〜１６Ｄにて薪を燃焼させて温水を生成し、この温水との熱交換により水を加温して貯湯タンク４に温水として貯えることができる。
【００５４】
以上、本発明に従う給湯装置の一実施形態について説明したが、本発明はかかる実施形態に限定されるものではなく、本発明の範囲を逸脱することなく種々の変更乃至修正が可能である。
【００５５】
例えば、上述した実施形態では、上段の薪燃焼手段１６Ａ，１６Ｃに対応して上支持案内部材４０を設け、下段の薪燃焼手段１６Ｂ，１６Ｄに対応して下支持案内手段４２を設けているが、このような構成に代えて、薪燃焼手段１６Ａ〜１６Ｄの各々に対応して支持案内部材を設け、この支持案内部材に対応する開閉扉３２を装着するようにしてもよく、或いはこの支持案内部材を省略し、薪燃焼手段１６Ａ〜１６Ｄの燃焼器本体２８の開口３０側に、例えばヒンジ部材（図示せず）を介して開閉扉３２を開閉自在に取り付けるようにしてもよい。
【００５６】
また、例えば、上述した実施形態では、排気ダクト９０の一部を覆うように空気導入管９０を配設しているが、排気ダクト９０とは別個に空気導入管９０を設けるようにしてもよく、この場合、空気導入管９０を通して流入した空気は、吸気加温ハウジング８０内を各薪燃焼手段１６Ａ〜１６Ｄの空気送給管５６に流れる間に、薪燃焼手段１６Ａ〜１６Ｄの排気導出管７０を流れる燃焼排気ガスにより加温される。
【００５７】
また、例えば、上述した実施形態では、第１循環系６の温水タンク９２を設けているが、温水容器本体１４の容量を大きくした場合などにおいては、この温水タンク９２を省略することも可能である。
【符号の説明】
【００５８】
２  温水生成手段
４  貯湯タンク
６  第１循環系
８  第２循環系
１０  熱交換器
１４  温水容器本体
１６，１６Ａ，１６Ｂ，１６Ｃ，１６Ｄ  薪燃焼手段
５６  空気送給管（空気送給手段）
７０  排気導出管
７２  乱流加熱板
７６  吸気加温ハウジング
８２  排気ダクト
８６  排気ガス排出手段
８８  空気導入手段
９２  温水タンク
１０４  第１補給手段
１２８  第２補給手段
【図１】
2015206479.tif 000003
【図２】
2015206479.tif 000004
【図３】
2015206479.tif 000005
【図４】
2015206479.tif 000006
【図５】
2015206479.tif 000007
【図６】
2015206479.tif 000008